(57)【要約】【課題】熱ラミネート時にＩＣカードの表面がシワにならず同時に耐衝撃性に優れたＩＣカードの構成を提供することを目的とした。【解決手段】ＩＣチップ5を備えるインレットのアンテナ基材10に、少なくとも内層シート91,92と、外装シート3と、を積層してなるＩＣカードにおいて、ＩＣチップ5は、該ＩＣチップ5が前記アンテナと電気的に接続するアンテナ基材10のチップ実装面のチップ実装領域と前記アンテナ基材のチップ実装面と対向する面のチップ実装領域に接着用樹脂を介して補強板61,62が接着され、該補強板の上は、前記内層シート91,92及び外装シート3よりも低い弾性率の緩衝用樹脂4で被覆されていることを特徴とするＩＣカードである。【選択図】図１
2011134194.tif 000002
【特許請求の範囲】
【請求項１】
ＩＣチップとアンテナとを備えるアンテナ基材に、少なくとも内層シートと、外装シートと、を積層してなるＩＣカードにおいて、ＩＣチップは、該ＩＣチップが前記アンテナと電気的に接続するアンテナ基材のチップ実装面のチップ実装領域と前記アンテナ基材のチップ実装面と対向する面のチップ実装領域にそれぞれ接着用樹脂を介して補強板が接着され、チップ実装面側の補強板の上は、前記内層シート及び外装シートよりも低い弾性率の緩衝用樹脂で被覆されていることを特徴とするＩＣカード。
【請求項２】
前記内層シートは、ＩＣチップを収容する側の内層シートが、収容しない側の内層シートより厚く、前記チップ実装領域に対応する部位に開口部が設けられていることを特徴とする請求項１に記載のＩＣカード。
【請求項３】
前記緩衝用樹脂部位を補強板に射影した場合の平面形状は、前記補強板と相似であることを特徴とする請求項1又は請求項２に記載のＩＣカード。
【請求項４】
前記緩衝用樹脂部位を補強板に射影した場合の平面形状の面積は、補強板の面積の２倍以下であることを特徴とする請求項1から請求項３のいずれか1項に記載のＩＣカード。
【請求項５】
前記緩衝用樹脂の厚さは２μｍから３００μｍの範囲であることを特徴とする求項1から請求項４のいずれか1項に記載のＩＣカード。
【請求項６】
前記緩衝樹脂は、シリコーン樹脂であることを特徴とする請求項1から請求項５のいずれか1項に記載のＩＣカード。
【発明の詳細な説明】
【技術分野】
【０００１】
本発明は、ＩＣカードに係わり、特にはＩＣカードの耐衝撃性を向上させる補強構造に関する。
【背景技術】
【０００２】
ＩＣカードは、不特定多数の人により、様々な状況下で保管され使用される。例えば、財布、ポケット等の凹凸のある箇所や湾曲した箇所に保持されて持ち歩かれる。さらに、ＩＣカードを他の物にぶつけたり、ＩＣカードをケースに入れたままで落とすことも考えられる。このように、ＩＣカードは、様々な方向から外力を受けて曲げられたり、物がぶつかったり落としたりした際の衝撃に対しては、相当な程度の強度が必要である。
【０００３】
ところで、ＩＣカードは、カード内部に半導体メモリを組み込んだカードであって、さらにＣＰＵやコプロセッサなどを内蔵させて、カード内部で情報処理を可能としたものである。情報の読み書き方式には接触型と非接触型があり、それぞれ幾つかの方式が規格化・標準化されている。
【０００４】
このＩＣカードに耐衝撃性が必要な理由は、カードに内蔵されているＩＣチップ自体が外力によって破損したり、ＩＣチップとアンテナ等の配線回路とが接続する部分が破壊されたりしないようにするためである。
【０００５】
ＩＣカードの構造については、例えば特許文献1の図３から図４に記載がある。ＩＣチップが収容される部分については、カード基体にＩＣチップのサイズに対応するざぐり部分を形成し、ざぐられた部位にＩＣチップを収容し両側から別のカード基体でラミネートする構成をとっている。このカード基体に文字情報・画像情報を書き込んだ受像層をクッション層を介して接着する構成も開示されている。ＩＣチップを収容する開口部は両側から別の基体で覆われているが、クッション層だけでは開口部分に関係した凹凸の影響を受けて筆記性が悪化するため、さらにクッション層の下に硬質下敷き層を設けることもある。
【０００６】
特許文献２には、ＩＣチップ部分を保護する別の構成として、インレット上に搭載されたＩＣチップ全体とＩＣチップの裏面側のインレットを緩衝材で覆う構成が開示されている。緩衝材が変形することで外力を吸収し、チップに加わる外力を低減するものである。
【０００７】
更に別の構成として、上記構成に類似するものであるが、インレットに搭載したＩＣチップの上部とＩＣチップのある部位のインレット裏面に、それぞれ補強板を設置するものがある。ＩＣチップの保護とＩＣチップを設置したことによるカード表面の凹凸を低減する効果がある（特許文献３、特許文献４）。
【先行技術文献】
【特許文献】
【０００８】
【特許文献１】特開２００５−２５９１６６号公報
【特許文献２】特開平９−１８３２８５号公報
【特許文献３】特開２０００−２２２５４９号公報
【特許文献４】特開２００２−１６３６２４号公報
【発明の概要】
【発明が解決しようとする課題】
【０００９】
上記の先行技術には次のような問題がある。
【００１０】
クッション層、緩衝材あるいは補強板をＩＣチップを挟み込むように配置するだけでは、ＩＣチップ自体の物理的な強度が不足しているので、ＩＣチップの破損が起こったり、端子部における接続不良の発生を抑止できないという問題がある。
【００１１】
また、熱ラミネート法で複数の基材を熱圧着してカード化する場合、個々の基材間の熱膨張係数が異なると、個々の基材表裏に働く応力の大きさと方向が冷却過程で異なるため、例えばクッション層が存在すると、クッション層にシワが発生しその影響がカード表面にまで遡及して外観異常を呈するという問題があり、外装に使用する基材材料が制限を受けるという問題があった。また緩衝材をＩＣチップを覆うように使用する場合には上記と同じ理由でカードの表裏にシワが発生するという問題があった。
【００１２】
そこで、本発明は、熱ラミネート時にＩＣカードの表面がシワにならず同時に耐衝撃性の改善されたＩＣカードの構成を提供することを目的とした。
【課題を解決するための手段】
【００１３】
上記課題を達成するための請求項１に係わる発明は、ＩＣチップとアンテナとを備えるアンテナ基材に、少なくとも内層シートと、外装シートと、を積層してなるＩＣカードにおいて、ＩＣチップは、該ＩＣチップが前記アンテナと電気的に接続するチップ面と反対のチップ面に接着用樹脂を介して補強板が接着され、該補強板の上は、前記内層シート及び外装シートよりも低い弾性率の緩衝用樹脂で被覆されていることを特徴とするＩＣカードとしたものである。
【００１４】
かかる構成は、ＩＣチップ周辺に加わる静的な外力は補強板で防いで、局所的・衝撃的な外力に対しては緩衝用樹脂で緩和する構成とするものである。
【００１５】
請求項２に係わる発明は、前記内層シートは、ＩＣチップを収容する側の内層シートが、収容しない側の内層シートより厚く、前記ＩＣチップに対応する部位に開口部が設けられていることを特徴とする請求項１に記載のＩＣカードとしたものである。
【００１６】
かかる構成は、アンテナ基材に積層される内層シートに開口部を設け、該開口部にアンテナ基材から突出するＩＣチップ、補強板及び緩衝用樹脂を収容し、同時に緩衝用樹脂が開口部の余分な隙間だけを埋めるように広がる構成とするものである。その結果、シワ発生が抑止される。
【００１７】
請求項３に係わる発明は、前記緩衝用樹脂部位を補強板に射影した場合の平面形状は、前記補強板と相似であることを特徴とする請求項1又は請求項２に記載のＩＣカードとしたものである。
【００１８】
請求項４に係わる発明は、前記緩衝用樹脂部位を補強板に射影した場合の平面形状の面積は、補強板の面積の２倍以下であることを特徴とする請求項1又は請求項３に記載のＩＣカードとしたものである。
【００１９】
上記二つの構成は、内層シート開口部とＩＣチップの間で生じる隙間を緩衝用樹脂を用いて埋める構成とするものである。
【００２０】
請求項５に係わる発明は、前記緩衝用樹脂の厚さは２μｍから３００μｍの範囲であることを特徴とするる請求項1から請求項４のいずれか1項に記載のＩＣカードとしたものである。
【００２１】
かかる構成であると、上記の構成とあいまってＩＣカード表面がより平滑となる。
【００２２】
請求項６に係わる発明は、前記緩衝樹脂は、シリコーン樹脂であることを特徴とする請求項1から請求項５のいずれか1項に記載のＩＣカードとしたものである。
【００２３】
かかる樹脂であると、耐衝撃性の向上効果と請求項５に記載のシワ発生防止効果、平滑性向上効果が顕著である。
【発明の効果】
【００２４】
本発明によれば、耐衝撃性を備えた表面にシワのない平滑性の高いＩＣカードを製造できる。その結果ＩＣチップの破損が生じず長寿命で筆記性に優れるＩＣカードを得ることができる。
【図面の簡単な説明】
【００２５】
【図１】本発明になるＩＣカードの層構成を模式的に説明する断面視の図である。
【図２】従来型のＩＣカードの層構成を模式的に説明する断面視の図である。
【図３】緩衝用樹脂、ＩＣチップ、補強板の重なり具合を説明する上面視の図である。
【発明を実施するための形態】
【００２６】
本発明になるＩＣカード単体の構成と従来構成を、構成する層ごとに分離して表示したものを図１および図２にそれぞれ示した。実際のＩＣカードは、記載の層材料を上下から熱プレスして一体化したものであるが、基本的には、ＩＣチップ5もしくはＩＣチップ5とアンテナ配線7を備えたアンテナ基材10をインレットとし、その両側を２層または多層のシートを積層してカード化したものである。図１は、外装シート3,内層シート91,92を積層したものである。
【００２７】
ＩＣチップ5は、厚みが数十μｍ程度のシリコン単結晶からなり、チップの外部接続用端子8をアンテナ基材側の端子と接続するようにアンテナ基材10に敷設する（図２を参照）。ＩＣチップ5は厚み分、アンテナ基材10から突出しているので、外力や変形が加わってもＩＣチップ5自体や接続部が打撃を受けないように、被覆する側の保護シートに開口部11を形成し、そこに収容されるようにしてあり、同時に上下をＳＵＳ、アルミ等の保護板61,62で狭持する構成となっている。ＩＣチップを収容する空間は、カードの変形等があってもＩＣチップに周囲の部材が接触しないように隙間を有しているのが普通である。
【００２８】
本発明は、図1に示すように、この隙間を緩衝用樹脂4で埋設したものである。緩衝用樹脂は外装シート3、内層シート91,92よりも低い弾性率の樹脂であることが好ましくシリコーン樹脂材料、ポリウレタン系材料、ゴム系材料またはダイラタンシー性を有する材料などを用いることができる。
【００２９】
以下、実施例を用いて本発明を説明する。
【実施例】
【００３０】
ＩＣカードの、機能上の中核的部材であるアンテナ基材10は、ＩＣチップ5と４０μｍ厚のＰＥＴ基材上に形成したアンテナ配線７を接続端子8を介して電気的に接続したもので、これらが複数多面付されたインレットとして製造される。多面付したインレットに、多面付けに対応する形態の内層シート91,92、外装用シート3等を順次積層して一括形成し、最終的にカードサイズに断裁するものであるが、便宜上、図１の小切れにした単体のＩＣカードとして説明する。
尚、以下の記載では、ＩＣカードの裏面とは、ＩＣチップの実装側（図1、２では下側）
を指称し、表面とはその反対側（図１、２では上側）を指称するものとした。
【００３１】
先ず、アンテナ基材10に積層する上下の内層シート91,92のＩＣチップ5に対応する部位（チップ実装領域）に金型を用いてプレス法で、ＩＣチップ5と２枚の補強板61,62を収容する開口部11を形成する穴あけ加工を行う。内層シート91は１３０μｍ厚のホットメルト付ＰＥＴ−Ｇフィルム（引っ張り弾性率：１．５０ＧＰａ）、もう一枚の内層シート92は３５０μｍ厚のホットメルト付ＰＥＴ−Ｇフィルムである。図では開口部11は貫通しているが、貫通していなくとも構わないし、場合によっては多段にざぐり加工することもある。
【００３２】
次に、アンテナ基材10に搭載された厚さ約５５μｍ、面積（３ｍｍ×３ｍｍ）のＩＣチップ5の背に第一の補強板62を接着し、第２の補強板61を図１に示すようにアンテナ基材10の対応する表面側に接着しＩＣチップ5を両側から保護した。ここで第一の補強板62は厚さ６５μｍ、第２の補強板61は厚さ１１０μｍで、いずれも面積が４．５ｍｍ×４．５ｍｍ程度のＳＵＳ材からなっている。
【００３３】
次に、緩衝用樹脂4として厚さ２００μｍのシリコーン両面テープ（信越化学製：ＴＣ−２０ＳＡＳ、引っ張り弾性率：０．７０ＧＰａ）を、第２の補強板61の上に仮置きして、アンテナ基材10を核にして内層シートと一緒に丁合いした後、熱ラミネート処理を施した。
【００３４】
この際、緩衝用樹脂4は、カード表面から見た投影形状を補強板6と略一致させるように揃え、該当部分の表面に不要な凹凸が生じないようにした。図３に好ましい配置の一例を図示した。図中、黒の四角はＩＣチップ5である。補強板6の面積を基準とすると緩衝用樹脂4の面積は２以下が好ましい態様である。２以上であると補強板4周辺の凹凸が顕著となり、カード面への印画・印字性が低下した。
【００３５】
緩衝用樹脂4の厚さは５μｍから３００μｍの範囲が望ましい。５μｍ未満では応力緩和効果が不十分であって、一方３００μｍを超えると外装シート3に厚さ１００μｍの基材を適用して、平滑性を確保しようとすると、ＩＣカードの厚さをＪＩＳ規格Ｘ６３０１に準拠した規格厚７６０±８０μｍに収めるのが困難になる。
【００３６】
次に、ポリエステル系の３０μｍ厚のホットメルトフィルム12と外装用シート3（延伸ＰＥＴ、引っ張り弾性率：３．６０ＧＰａ）を２次丁合いした後、２次ラミネート処理して基材および全シートを接着する。ホットメルトフィルム12の厚さは、隙間が埋まるように、また固まってから後も凹凸が生じないように上記の厚みの範囲で適宜設定する必要がある。
【００３７】
次いで、カードサイズに小切れ抜きして所望のＩＣカードを製造することができた。
【００３８】
（比較例）
上記の緩衝用樹脂4を備えるＩＣカードと耐衝撃性を比較すべきＩＣカードは、同様の工程で製造したが、違いは内層用シート（ＰＥＴ−Ｇ）94,95を表裏とも２枚重ねして厚さを２４０μｍとしたことである（図２を参照のこと）。アンテナ基材10に接着する内層シート94,95にはＩＣチップ5と補強板61,62を収容する開口部11を設けた。実施例における内層シートの厚みは表裏で異なるが、表裏の合計厚みは４８０μｍとして比較例と同じとしてある。実施例では、緩衝用樹脂が収容される部位の厚さを表裏で変えたものである。
【００３９】
（比較実験）
衝撃試験は、ＪＩＳ規格Ｋ５６００-５-３の落体式試験装置を用いて、内径２７ｍｍの穴
の空いた受け台の中心にＩＣチップが位置するように、カードの表面を上にして固定し、直径２０ｍｍ、重さ５０ｇの鋼鉄製おもりを１５ｃｍから落下させ、次いでカードの表裏を逆にして同様に設置、おもりを落下させた。ＩＣチップの動作を確認し、正常動作が確認されたカードに対して高さを５ｃｍずつ増して同様の衝撃試験を繰りかえした。正常動作が確認された最も高い高さを個数とともに記録した。
【００４０】
結果を表１に示した。表はその高さ（上段横の数字で単位はｃｍ）で破損したＩＣカードの枚数を投入数で除したものである。
【００４１】
【表１】
2011134194.tif 000003
【００４２】
実施例と比較例を較べると、緩衝用樹脂を設置した裏面側におもりを落下させた場合に差が顕著であった。開口部11に備える緩衝用材料4としては、硬いＰＥＴよりもシリコン樹脂を配置した方が衝撃を吸収する効果が顕著で、ＩＣチップに加わる力がより低減されたものと考えられる。一方、表面側では同等の結果となり差が見られなかった。ほぼ同じ構成であるので当然の結果である。
【符号の説明】
【００４３】
３、外装用シート
４、緩衝用樹脂
５、ＩＣチップ
７、アンテナ配線
８、接続部分
１０、アンテナ基材
１１、開口部
１２、ホットメルトフィルム（樹脂）
６１、第二の補強板
６２、第一の補強板
９１、９２、９３、９４、９５、９６、内層用シート
【図１】
2011134194.tif 000004
【図２】
2011134194.tif 000005
【図３】
2011134194.tif 000006